(57)【特許請求の範囲】
【請求項１】
ユーザ端末装置の文字入力方法において、
前記ユーザ端末装置に設定された文字入力モードを検出するステップと、
前記検出された文字入力モードに対応する標識（ｓｉｇｎ）を文字入力カーソルの近くに表示するステップと
を含み、
前記表示するステップは、
文字入力画面の表示状態に応じて、前記文字入力カーソルの近くで前記標識の位置を変化させて表示し、
文字入力が受信される間、前記標識が表示された後予め設定された時間が経過すると、前記標識を除去する文字入力方法。
【請求項２】
前記文字入力モードは、
文字入力が行われる場合、前記文字入力画面に表示される文字に適用されるモードであることを特徴とする請求項１に記載の文字入力方法。
【請求項３】
前記標識は、
文字入力が行われる場合、前記文字入力画面に表示される文字の言語情報を含むことを特徴とする請求項１に記載の文字入力方法。
【請求項４】
前記標識を前記文字入力カーソルの近くに位置させて結合カーソルを生成するステップを更に含み、
前記表示するステップは、
文字の入力される位置に前記生成された結合カーソルを表示することで、前記標識を前記文字入力カーソルの近くに表示することを特徴とする請求項１に記載の文字入力方法。
【請求項５】
前記表示するステップは、
予め設定された時間の間、前記ユーザ端末装置に対する文字入力が受信されていないか、または、前記文字入力モードが変更されたとき、前記標識を前記文字入力カーソルの近くに表示することを特徴とする請求項１に記載の文字入力方法。
【請求項６】
前記標識の表示された時点から予め設定された時間が経過すると、前記標識を除去し、前記文字入力カーソルのみを文字の入力される位置に表示するステップを更に含むことを特徴とする請求項１に記載の文字入力方法。
【請求項７】
前記ユーザ端末装置に対する文字入力を受信するステップを更に含み、
前記ユーザ端末装置は、スマートフォンであり、
前記文字入力は、前記ユーザ端末装置と無線または有線で接続された文字入力装置を介して行われることを特徴とする請求項１に記載の文字入力方法。
【請求項８】
前記文字入力モードは、
前記ユーザ端末装置と有線または無線で接続された文字入力装置で特定領域が選択されることで、前記ユーザ端末装置に設定されることを特徴とする請求項１に記載の文字入力方法。
【請求項９】
前記標識は、
ｉｎｓｅｒｔ  ｏｎ／ｏｆｆ情報、ｎｕｍｌｏｃｋ  ｏｎ／ｏｆｆ情報のうち少なくとも１つを更に含むことを特徴とする請求項３に記載の文字入力方法。
【請求項１０】
ユーザ端末装置において、
前記ユーザ端末装置に設定された文字入力モードを検出する検出部と、
前記検出された文字入力モードに対応する標識（ｓｉｇｎ）を文字入力カーソルの近くに提供する制御部と
を含み、
前記制御部は、
文字入力画面の表示状態に応じて、前記文字入力カーソルの近くで前記標識の位置を変化させて表示し、
文字入力が受信される間、前記標識が表示された後予め設定された時間が経過すると、前記標識を除去するユーザ端末装置。
【請求項１１】
前記制御部は、
前記標識を前記文字入力カーソルの近くに位置させて結合カーソルを生成し、文字の入力される位置に前記生成された結合カーソルを提供することで、前記標識を前記文字入力カーソルの近くに提供することを特徴とする請求項１０に記載のユーザ端末装置。
【請求項１２】
画面を表示するディスプレイ部を更に含み、
前記制御部は、
前記検出された文字入力モードに対応する標識を文字入力カーソルの近くに表示するように前記ディスプレイ部を制御することを特徴とする請求項１０に記載のユーザ端末装置。
【請求項１３】
前記ユーザ端末装置に対する文字入力を受信するインターフェース部を更に含み、
前記ユーザ端末装置は、スマートフォンであり、
前記文字入力は、前記インターフェース部を介して無線または有線で接続された文字入力装置を介して行われることを特徴とする請求項１２に記載のユーザ端末装置。
【請求項１４】
ユーザ端末装置で文字入力方法を行うためのプログラムコードが記録された非一時的コンピュータ読み取り可能な記録媒体において、
前記文字入力方法は、
前記ユーザ端末装置に設定された文字入力モードを検出するステップと、
前記検出された文字入力モードに対応する標識（ｓｉｇｎ）を文字入力カーソルの近くに表示するステップと
を含み、
前記表示するステップは、
文字入力画面の表示状態に応じて、前記文字入力カーソルの近くで前記標識の位置を変化させて表示し、
文字入力が受信される間、前記標識が表示された後予め設定された時間が経過すると、前記標識を除去する記録媒体。
【発明の詳細な説明】
【技術分野】
【０００１】
本発明は、ユーザ端末装置、ユーザ端末装置の文字入力方法及びコンピュータ読み取り可能な記録媒体に関し、より詳細には、現在の文字入力モードを表示するユーザ端末装置、ユーザ端末装置の文字入力方法及びコンピュータ読み取り可能な記録媒体に関する。
【背景技術】
【０００２】
一般的に、ハングルと英文とを混用する多様な応用プログラムでハングルと英文の入力のためには、韓／英の切替キーを使ってハングル入力モードまたは英文入力モードに切り替えたり、Ｃａｐｓ  Ｌｏｃｋキーを使って英文大文字モードまたは英文モードに切り替えなければならない。応用プログラムの種類に応じて、韓英切替キー、Ｃａｐｓ  Ｌｏｃｋキーの使用頻度にはばらつきがあるが、ユーザとしては韓／英切替キー、Ｃａｐｓ  Ｌｏｃｋキーをハングル、英文を入力するたびに使用することが非常に不便である。
【０００３】
特に、インターネットを利用する回数が頻繁のこの頃、例えば、ウェブブラウザプログラム、検索プログラム等のような応用プログラムでインターネットドメインアドレスまたはキーワード入力のためにハングルと英文とを交互に入力しなければならない。
【０００４】
このような場合、ユーザは、文字入力装置のハングル入力モードまたは英文入力モードを判別し、それに適するように韓／英切替キーを使わなければならない。なお、ユーザは、文字入力装置の英文の大文字モードまたは英文の小文字モードを判別し、それに適するようにＣａｐｓ  Ｌｏｃｋキーを使わなければならない。
【０００５】
しかし、相互相反する入力モードで作業をしている場合、それを入力した後になってから誤って入力されたことを知ることができるため、既に入力された内容を修正しなければならないという不都合が伴う。
【０００６】
よって、現在の文字入力モードに対応する標識を文字入力カーソルとともに提供することができる装置及び方法が必要である。
【発明の概要】
【発明が解決しようとする課題】
【０００７】
そこで、本発明は、上記問題に鑑みてなされたものであり、本発明の目的とするところは、現在の文字入力モードに対応する標識を文字入力カーソルとともに提供するユーザ端末装置、ユーザ端末装置の文字入力方法及びコンピュータ読み取り可能な記録媒体を提供することにある。
【課題を解決するための手段】
【０００８】
上述の目的を達成するための本発明の一実施形態に係るユーザ端末装置の文字入力方法は、前記ユーザ端末装置に設定された文字入力モードを検出するステップと、前記検出された文字入力モードに対応する標識（ｓｉｇｎ）を文字入力カーソルの近くに表示するステップとを含む。
【０００９】
そして、前記文字入力モードは、文字入力が行われる場合、文字入力画面に表示される文字に適用されるモードであってよい。
【００１０】
なお、前記標識は、文字入力が行われる場合、文字入力画面に表示される文字の言語情報を含んでよい。
【００１１】
そして、前記標識を前記文字入力カーソルの近くに位置させて結合カーソルを生成するステップを更に含み、前記表示するステップは、文字の入力される位置に前記生成された結合カーソルを表示することで、前記標識を前記文字入力カーソルの近くに表示してよい。
【００１２】
なお、前記表示するステップは、文字入力画面の表示状態に応じて、前記標識の位置を前記文字入力カーソルの近くで変化させて表示してよい。
【００１３】
そして、前記表示するステップは、予め設定された時間の間、前記ユーザ端末装置に対する文字入力が受信されていないか、または、前記文字入力モードが変更されたとき、前記標識を前記文字入力カーソルの近くに表示してよい。
【００１４】
なお、前記標識の表示された時点から予め設定された時間が経過すると、前記標識を除去し、前記文字入力カーソルのみを文字の入力される位置に表示するステップを更に含んでよい。
【００１５】
そして、前記ユーザ端末装置に対する文字入力を受信するステップを更に含み、前記ユーザ端末装置は、スマートフォンであり、前記文字入力は、前記ユーザ端末装置と無線または有線で接続された文字入力装置を介して行われてよい。
【００１６】
なお、前記文字入力モードは、前記ユーザ端末装置と有線または無線で接続された文字入力装置で特定領域が選択されることで、前記ユーザ端末装置に設定されてよい。
【００１７】
そして、前記標識は、ｉｎｓｅｒｔ  ｏｎ／ｏｆｆ情報、ｎｕｍｌｏｃｋ  ｏｎ／ｏｆｆ情報のうち少なくとも１つを更に含んでよい。
【００１８】
一方、上述の目的を達成するための本発明の一実施形態に係るユーザ端末装置は、前記ユーザ端末装置に設定された文字入力モードを検出する検出部と、前記検出された文字入力モードに対応する標識（ｓｉｇｎ）を文字入力カーソルの近くに提供する制御部とを含む。
【００１９】
そして、前記文字入力モードは、文字入力が行われる場合、文字入力画面に表示される文字に適用されるモードであってよい。
【００２０】
なお、前記標識は、文字入力が行われる場合、文字入力画面に表示される文字の言語情報を含んでよい。
【００２１】
そして、前記制御部は、前記標識を前記文字入力カーソルの近くに位置させて結合カーソルを生成し、文字の入力される位置に前記生成された結合カーソルを提供することで、前記標識を前記文字入力カーソルの近くに提供してよい。
【００２２】
なお、前記制御部は、文字入力画面の表示状態に応じて、前記標識の位置を前記文字入力カーソルの近くで変化させて提供してよい。
【００２３】
そして、前記制御部は、予め設定された時間間隔の間、前記ユーザ端末装置に対する文字入力が受信されていないか、または、前記文字入力モードが変更されたとき、前記標識を前記文字入力カーソルの近くに提供してよい。
【００２４】
なお、前記制御部は、前記標識の表示された時点から予め設定された時間が経過すると、前記標識を除去し、前記文字入力カーソルのみを文字の表示される位置に提供してよい。
【００２５】
そして、画面を表示するディスプレイ部を更に含み、前記制御部は、前記検出された文字入力モードに対応する標識を文字入力カーソルの近くに表示するように前記ディスプレイ部を制御してよい。
【００２６】
なお、前記ユーザ端末装置に対する文字入力を受信するインターフェース部を更に含み、前記ユーザ端末装置は、スマートフォンであり、前記文字入力は、前記インターフェース部を介して無線または有線で接続された文字入力装置を介して行われてよい。
【００２７】
なお、前記標識は、ｉｎｓｅｒｔ  ｏｎ／ｏｆｆ情報、ｎｕｍｌｏｃｋ  ｏｎ／ｏｆｆ情報のうち少なくとも１つを更に含んでよい。
【００２８】
一方、上述の目的を達成するための本発明の一実施形態に係るユーザ端末装置で文字入力方法を行うためのプログラムコードが記録されたコンピュータ読み取り可能な記録媒体において、前記文字入力方法は、前記ユーザ端末装置に設定された文字入力モードを検出するステップと、前記検出された文字入力モードに対応する標識（ｓｉｇｎ）を文字入力カーソルの近くに表示するステップとを含む。
【発明の効果】
【００２９】
以上説明したように、本発明によれば、文字入力モードに対応する標識を文字入力カーソルとともに表示することで、ユーザが文字を誤って入力することを防止することができる。
【００３０】
なお、文字入力モードに対応する標識を文字入力カーソルとともに表示することで、文字入力効率を向上することができる。
【図面の簡単な説明】
【００３１】
【図１】本発明の第１実施形態に係る文字入力システムを示す図である。
【図２】本発明の第２実施形態に係る文字入力システムを示す図である。
【図３】本発明の第３実施形態に係る文字入力システムを示す図である。
【図４】本発明の多様な実施形態に係るユーザ端末装置を示すブロック図である。
【図５】本発明の多様な実施形態に係るユーザ端末装置を示すブロック図である。
【図６Ａ】本発明の多様な実施形態に係る文字入力画面を示す図である。
【図６Ｂ】本発明の多様な実施形態に係る文字入力画面を示す図である。
【図６Ｃ】本発明の多様な実施形態に係る文字入力画面を示す図である。
【図７Ａ】本発明の多様な実施形態に係る文字入力画面を示す図である。
【図７Ｂ】本発明の多様な実施形態に係る文字入力画面を示す図である。
【図８】本発明の多様な実施形態に係る文字入力画面を示す図である。
【図９】本発明の第２実施形態に係るユーザ端末装置の細部構成の一例を示すブロック図である。
【図１０】本発明の多様な実施形態に係る制御部の細部構成の一例を示すブロック図である。
【図１１】本発明の多様な実施形態に係る文字入力方法を示すフローチャートである。
【発明を実施するための形態】
【００３２】
以下に添付図面を参照しながら、本発明の好適な実施形態について詳細に説明する。
【００３３】
＜第１実施形態＞
図１は、本発明の第１実施形態に係る文字入力システムを示す図である。図１を参照すると、文字入力システム１０００は、ユーザ端末装置１００、文字入力装置２００、ディスプレイ装置３００を含む。本発明の第１実施形態によると、ユーザ端末装置１００は、デスクトップパソコン（Ｐｅｒｓｏｎａｌ  Ｃｏｍｐｕｔｅｒ）で実現されてよく、文字入力装置２００は、キーボードで実現されてよく、ディスプレイ装置３００は、モニタで実現されてよい。すなわち、本発明の第１実施形態によると、ユーザ端末装置１００、文字入力装置２００、ディスプレイ装置３００はそれぞれ、別個の客体で実現されてよい。
【００３４】
一方、ユーザ端末装置１００と文字入力装置２００とは、有線ケーブルを用いて有線で接続されたり、または、ブルートゥース（Ｂｌｕｅ  Ｔｏｏｔｈ（登録商標））、ＲＦ（Ｒａｄｉｏ  Ｆｒｅｑｕｅｎｃｙ）またはＮＦＣ（Ｎｅａｒ  Ｆｉｅｌｄ  Ｃｏｍｍｕｎｉｃａｔｉｏｎ）を用いて無線で接続されてよい。なお、ユーザ端末装置１００とディスプレイ装置３００とは、ＤＶＩ（Ｄｉｇｉｔａｌ  Ｖｉｓｕａｌ  Ｉｎｔｅｒｆａｃｅ）ケーブルまたはＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブル等を用いて有線で接続されたり、無線アダプタを用いて無線で接続されてよい。
【００３５】
文字入力装置２００は、ユーザの文字入力またはユーザの文字入力モード設定を受信することができる。具体的に、文字入力装置２００の文字入力領域がユーザから選択されると、文字入力装置２００はユーザの文字入力を受信することができる。なお、文字入力装置２００の文字入力モード設定領域がユーザから選択されると、文字入力装置２００はユーザの文字入力モード設定を受信することができる。
【００３６】
ここで、文字入力モードは、文字入力装置２００で文字入力が行われる場合、ディスプレイ装置３００の文字入力画面に表示される文字に適用されるモードであってよい。このような文字入力モードは、言語モード（例えば、ハングルモード、英語モード、日本語モード、中国語モード等）、Ｃａｐｓ  Ｌｏｃｋモード、Ｉｎｓｅｒｔモード、Ｎｕｍｌｏｃｋモードのうち少なくとも１つを含んでよい。ここで、言語モード、Ｃａｐｓ  Ｌｏｃｋモード、Ｉｎｓｅｒｔモード、Ｎｕｍｌｏｃｋモードへの設定は、各モードに対応する文字入力装置２００の特定領域を選択することで行われてよい。
【００３７】
一方、文字入力装置２００は、受信された文字入力に対応する信号または受信された文字入力モード設定に対応する信号をユーザ端末装置１００に伝送することができる。
【００３８】
ユーザ端末装置１００は、受信された文字入力モード設定に対応する信号に応じて、文字入力モードを設定することができる。なお、ユーザ端末装置１００は、ユーザ端末装置１００に設定された文字入力モードを検出することができる。なお、ユーザ端末装置１００は、検出された文字入力モードに対応する標識を文字入力カーソルの近くに提供することができる。
【００３９】
ここで、標識は、文字入力装置２００を介して文字入力が行われる場合、ディスプレイ装置３００の文字入力画面に表示される文字の言語情報を含んでよい。なお、標識は、ｉｎｓｅｒｔ  ｏｎ／ｏｆｆ情報、ｎｕｍｌｏｃｋ  ｏｎ／ｏｆｆ情報のうち少なくとも１つを更に含んでよい。
【００４０】
文字入力カーソルは、文字入力装置２００を介して文字入力が行われると、入力された文字が即座に表示され得ることｃｃｃｃｃｃｃｃｃｃｃｃｃｃｃｃｃｃｃｃｃｃｃｃｃｃｃｃｃｃｃｃを知らせるものであって、文字の入力される位置に表示される「|」のような記号であってよい。すなわち、文字入力カーソルは、ユーザから文字入力を受ける準備が完了していることを報知するものであってよい。
【００４１】
一方、ユーザ端末装置１００は、受信された文字入力信号に対応する文字を表示するようにディスプレイ装置３００を制御することができる。
【００４２】
ディスプレイ装置３００は、ユーザ端末装置１００の制御下で、画面を表示することができる。特に、ディスプレイ装置３００はユーザ端末装置１００の制御下で、文字入力カーソル、文字入力モードに対応する標識を含む文字入力画面を表示することができる。
【００４３】
＜第２実施形態＞
図２は、本発明の第２実施形態に係る文字入力システムを示す図である。図２を参照すると、文字入力システム２０００は、ユーザ端末装置１００、文字入力装置２００を含む。本発明の第２実施形態によると、ユーザ端末装置１００は、スマートフォン、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）またはタブレットパソコンのように、携帯に便利な装置で実現されてよく、文字入力装置２００は、キーボードで実現されてよい。
【００４４】
一方、ユーザ端末装置１００と文字入力装置２００とは、有線ケーブルを用いて有線で接続されたり、または、ブルートゥース（Ｂｌｕｅ  Ｔｏｏｔｈ（登録商標））、ＲＦ（Ｒａｄｉｏ  Ｆｒｅｑｕｅｎｃｙ）またはＮＦＣ（Ｎｅａｒ  Ｆｉｅｌｄ  Ｃｏｍｍｕｎｉｃａｔｉｏｎ）を用いて無線で接続されてよい。
【００４５】
ここで、本発明の第２実施形態に係る文字入力システムは、ユーザ端末装置１００が画面を表示するディスプレイ部１４０を更に含むことにより発生する動作上の相違点を除いては、本発明の第１実施形態に係る文字入力システムと同様に動作してよい。よって、本発明の第２実施形態に係る文字入力システムの具体的な動作は既に上述しているため、具体的な説明は省略する。
【００４６】
＜第３実施形態＞
図３は、本発明の第３実施形態に係る文字入力システムを示す図である。図３を参照すると、文字入力システム３０００は、ユーザ端末装置１００を含む。本発明の第３実施形態によると、ユーザ端末装置１００は、ノートパソコンで実現されてよい。
【００４７】
ここで、本発明の第３実施形態に係る文字入力システムは、ユーザ端末装置１００が画面を表示するディスプレイ部１４０及びキーボードのような文字入力部を更に含むことにより発生する動作上の相違点を除いては、本発明の第１実施形態に係る文字入力システムと同様に動作してよい。よって、本発明の第３実施形態に係る文字入力システムの具体的な動作は既に上述しているため、具体的な説明は省略する。
【００４８】
図４は、本発明の多様な実施形態に係るユーザ端末装置を示すブロック図である。図５は、図４に係るユーザ端末装置を具体的に示すブロック図である。図４ないし図５を参照すると、ユーザ端末装置１００は、検出部１１０と、制御部１２０と、インターフェース部１３０と、ディスプレイ部１４０の全部または一部を含む。ここで、本発明の第１実施形態に係るユーザ端末装置１００は、検出部１１０、制御部１２０、インターフェース部１３０の全部または一部を含んでよい。なお、本発明の第２実施形態に係るユーザ端末装置１００は、検出部１１０と、制御部１２０と、インターフェース部１３０と、ディスプレイ部１４０の全部または一部を含んでよい。なお、本発明の第３実施形態に係るユーザ端末装置１００は、検出部１１０と、制御部１２０と、インターフェース部１３０と、ディスプレイ部１４０と、キーボードの機能を担う文字入力部（図示せず）の全部または一部を含んでよい。以下では、上述の事項に基づいて、本発明の多様な実施形態に係るユーザ端末装置１００について具体的に説明する。
【００４９】
検出部１１０は、ユーザ端末装置１００に設定された文字入力モードを検出する。
【００５０】
ここで、文字入力モードは、文字入力が行われる場合、文字入力画面に表示される文字に適用されるモードであってよい。文字入力モードは、言語モード（例えば、ハングルモード、英語モード、日本語モード、中国語モード等）、Ｃａｐｓ  Ｌｏｃｋモード、Ｉｎｓｅｒｔモード、Ｎｕｍｌｏｃｋモードのうち少なくとも１つを含んでよい。
【００５１】
このような文字入力モードは、ユーザ端末装置１００と有線または無線で接続された文字入力装置２００またはユーザ端末装置１００に設けられた文字入力部（図示せず）で特定領域が選択されることで、ユーザ端末装置１００に設定されてよい。
【００５２】
または、ディスプレイ部１４０がキーボードのような文字入力手段を表示する場合、文字入力手段で特定領域が選択されることで、ユーザ端末装置１００に設定されてよい。
【００５３】
それにより、ユーザ端末装置１００に文字入力モードが設定されると、検出部１１０はユーザ端末装置１００に設定された文字入力モードを検出することができる。
【００５４】
インターフェース部１３０は、ユーザ端末装置１００をその他の外部装置と接続する機能を担う。特に、インターフェース部１３０は、有線または無線で接続された文字入力装置２００から文字入力に対応する信号または文字入力モード設定に対応する信号を受信することができる。ここで、有線接続は、有線ケーブルを用いる方式であってよく、無線接続はブルートゥース（Ｂｌｕｅ  Ｔｏｏｔｈ（登録商標））、ＲＦ（Ｒａｄｉｏ  Ｆｒｅｑｕｅｎｃｙ）またはＮＦＣ（Ｎｅａｒ  Ｆｉｅｌｄ  Ｃｏｍｍｕｎｉｃａｔｉｏｎ）を用いる方式であってよい。この場合、本発明の第１または第２実施形態に係るユーザ端末装置１００に適用されてよい。
【００５５】
または、インターフェース部１３０は、ユーザ端末装置１００に内蔵された文字入力部（図示せず）から文字入力に対応する信号または文字入力モード設定に対応する信号を受信することができる。この場合は、本発明の第３実施形態に係るユーザ端末装置１００に適用されてよい。
【００５６】
ディスプレイ部１４０は、画面を表示する機能を担う。特に、ディスプレイ部１４０は、文字入力カーソル、文字入力モードに対応する標識を含む文字入力画面を表示することができる。このようなディスプレイ部１４０は、本発明の第２または第３実施形態に係るユーザ端末装置１００に備えられてよい。
【００５７】
本発明の第１実施形態に係るユーザ端末装置１００の場合、ディスプレイ部１４０の機能は別途の客体であるディスプレイ装置３００が行われてよい。
【００５８】
一方、ディスプレイ部１４０、ディスプレイ装置３００は、液晶ディスプレイ（ｌｉｑｕｉｄ  ｃｒｙｓｔａｌ  ｄｉｓｐｌａｙ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ ）、有機発光ダイオード（ｏｒｇａｎｉｃ  ｌｉｇｈｔ−ｅｍｉｔｔｉｎｇ  ｄｉｏｄｅ）、フレキシブルディスプレイ（ｆｌｅｘｉｂｌｅ  ｄｉｓｐｌａｙ）、３次元ディスプレイ（３Ｄ  ｄｉｓｐｌａｙ）、透明ディスプレイのうち、少なくとも１つで実現されてよい。
【００５９】
制御部１２０は、ユーザ端末装置１００の動作全般を制御する。具体的に、制御部１２０は、検出部１１０と、インターフェース部１３０と、ディスプレイ部１４０の全部または一部を制御することができる。
【００６０】
特に、制御部１２０は、検出された文字入力モードに対応する標識（ｓｉｇｎ）を生成することができる。ここで、標識は、文字入力が行われる場合、文字入力画面に表示される文字の言語情報、ｉｎｓｅｒｔ  ｏｎ／ｏｆｆ情報、ｎｕｍｌｏｃｋ  ｏｎ／ｏｆｆ情報のうち少なくとも１つを含んでよい。
【００６１】
言語情報は、文字入力が行われる場合、文字入力画面に表示される文字の言語の種類に関する情報を意味する。例えば、文字入力画面に表示される文字が「韓国語」の場合、言語情報は
【数１】
0006293761.tif 000002
であってよく、文字入力画面に表示される文字が「英語」の場合、言語情報は「Ａ」または「ａ」であってよい。ここで、「英語」の大文字か小文字かは、Ｃａｐｓ  Ｌｏｃｋモードの設定に応じて異なってよい。ただ、それに限定されるものではなく、言語情報は表示される文字の言語の種類（例えば、中国語、日本語、ロシア語等）に応じて多様になってよい。
【００６２】
一方、このような言語情報は、制御部１２０が検出された文字入力モードのうち、言語モード、Ｃａｐｓ  Ｌｏｃｋモードを利用することで、生成することができる。
【００６３】
ｉｎｓｅｒｔ  ｏｎ／ｏｆｆ情報は、文字入力が行われる場合、文字入力画面に表示される文字にｉｎｓｅｒｔ機能が行われるか否かに対する情報を意味する。このようなｉｎｓｅｒｔ  ｏｎ／ｏｆｆ情報は、制御部１２０が検出された文字入力モードのうちＩｎｓｅｒｔモードを利用することで、生成することができる。
【００６４】
ｎｕｍｌｏｃｋ  ｏｎ／ｏｆｆ情報は、文字入力が行われる場合、文字入力画面に表示される文字にｎｕｍｌｏｃｋ機能が行われるか否かに対する情報を意味する。このようなｎｕｍｌｏｃｋ  ｏｎ／ｏｆｆ情報は、制御部１２０が検出された文字入力モードのうちｎｕｍｌｏｃｋモードを利用することで、生成することができる。
【００６５】
それにより、制御部１２０は文字入力が行われる場合、文字入力画面に表示される文字の言語情報、ｉｎｓｅｒｔ  ｏｎ／ｏｆｆ情報、ｎｕｍｌｏｃｋ  ｏｎ／ｏｆｆ情報のうち少なくとも１つを含む標識を生成することができる。
【００６６】
なお、制御部１２０は、生成された標識を文字入力カーソルの近くに提供することができる。ここで、文字入力カーソルは、文字の入力される位置に表示される「|」のような記号であってよい。
【００６７】
一方、制御部１２０は、生成された標識を文字入力カーソルの近くに位置させて結合カーソルを生成し、文字の入力される位置に生成された結合カーソルを提供することで、標識を文字入力カーソルの近くに提供することができる。
【００６８】
または、制御部１２０は、別途の結合カーソルの生成なしに、文字入力カーソルの近くに生成された標識を提供することができる。
【００６９】
すなわち、標識を文字入力カーソルの近くに提供することは、制御部１２０内のイメージ処理部（図示せず）の実現方式によって異なってよい。
【００７０】
一方、制御部１２０が生成された標識を文字入力カーソルの近くに提供することで、ディスプレイ部１４０またはディスプレイ装置３００は生成された標識を文字入力カーソルの近くに表示することができる。
【００７１】
一方、制御部１２０は、標識を文字入力カーソルの右側、上側または下側に位置させるように制御することができる。ここで、標識は、文字入力カーソルの左側に位置させない理由は、文字が入力されると、入力された文字は文字入力カーソルの左側に位置するためである。それについては、図６Ａないし図７Ｂを参照して具体的に説明する。
【００７２】
図６Ａないし図７Ｂは、本発明の多様な実施形態に係る文字入力画面を示す図である。図６Ａを参照すると、ディスプレイ部１４０に表示された文字入力画面は文字入力カーソル１４１と、文字入力カーソル１４１の近くに表示された言語情報
【数２】
0006293761.tif 000003
１４２及びユーザから入力された文字を表示する。図６Ｂを参照すると、ディスプレイ部１４０に表示された文字入力画面は文字入力カーソル１４１、文字入力カーソル１４１の近くに表示された言語情報「Ａ」１４２及びユーザから入力された文字を表示する。図６Ｃを参照すると、ディスプレイ部１４０に表示された文字入力画面は文字入力カーソル１４１、文字入力カーソル１４１の近くに表示された言語情報「ａ」１４２及びユーザから入力された文字を表示する。ここで、言語情報１４２は、文字入力カーソル１４１の下側に位置して表示される。それにより、ユーザは
【数３】
0006293761.tif 000004
の後に入力される文字の言語種類を容易に識別することで、ユーザが文字を誤って入力することを防止することができる。
【００７３】
一方、図６Ａ及び図６Ｂを説明するうえで、言語情報１４２は文字入力カーソル１４１の下側に位置すると説明したが、それに限定されるものではなく、設定に応じて文字入力カーソル１４１の右側または上側に位置してよい。
【００７４】
図７Ａを参照すると、ディスプレイ部１４０に表示された文字入力画面は文字入力カーソル１４１と、文字入力カーソル１４１の近くに表示された言語情報
【数４】
0006293761.tif 000005
１４２、ｎｕｍｌｏｃｋ  ｏｎ情報１４３、ｉｎｓｅｒｔ  ｏｎ情報１４４及びユーザから入力された文字を表示する。図７Ｂを参照すると、ディスプレイ部１４０に表示された文字入力画面は文字入力カーソル１４１と、文字入力カーソル１４１の近くに表示された
【数５】
0006293761.tif 000006
１４２、ｎｕｍｌｏｃｋ  ｏｆｆ情報１４３、ｉｎｓｅｒｔ  ｏｆｆ情報１４４及びユーザから入力された文字を表示する。ここで、言語情報１４２は、文字入力カーソル１４１の下側に位置して表示され、ｎｕｍｌｏｃｋ  ｏｎ／ｏｆｆ情報１４３は文字入力カーソル１４１の右側に位置して表示され、ｉｎｓｅｒｔ  ｏｎ／ｏｆｆ情報１４４は言語情報
【数６】
0006293761.tif 000007
１４２の右側に表示される。それにより、ユーザは、
【数７】
0006293761.tif 000008
の後に入力される文字の言語種類だけでなく、ｉｎｓｅｒｔ機能及びｎｕｍｌｏｃｋ機能が設定されているか否かも容易に識別することができる。それにより、ユーザの文字入力効率を高めることができる。
【００７５】
一方、図７Ａ及び図７Ｂを説明するうえで、標識１４２、１４３、１４４は文字入力カーソル１４１の特定領域に位置すると説明したが、それに限定されるものではなく、設定に応じて標識１４２、１４３、１４４の位置は、図７Ａ及び図７Ｂと異なるように表示されてよい。
【００７６】
一方、制御部１２０は、文字入力画面の表示状態に応じて、標識の位置を文字入力カーソルの近くで変化させて提供することができる。それについては、図８を参照して具体的に説明する。
【００７７】
図８は、本発明の多様な実施形態に係る文字入力画面を示す図である。図８を参照すると、ディスプレイ部１４０に表示された文字入力画面は文字入力カーソル１４１、文字入力カーソル１４１の近くに表示された言語情報
【数８】
0006293761.tif 000009
１４２及びユーザから入力された文字を表示する。図８において、言語情報
【数９】
0006293761.tif 000010
１４２は、文字入力カーソル１４１の上側に位置して表示されてよい。それは、言語情報
【数１０】
0006293761.tif 000011
１４２が文字の表示された領域に位置すると、ユーザの識別に妨害となるためである。よって、制御部１２０は、文字入力画面の表示状態に応じて、標識の位置を文字入力カーソルの近くで変化させて提供することができる。
【００７８】
一方、制御部１２０は、予め設定された時間間隔の間、ユーザ端末装置１００に対する文字入力が受信されていないか、または、文字入力モードが変更された際、標識を文字入力カーソルの近くに提供することができる。すなわち、ユーザが特定時間の間、文字入力装置２００または文字入力部（図示せず）を介して文字入力を行わないと、ユーザはユーザ端末装置１００に設定された現在の文字入力モードを記憶できないかもしれない。または、ユーザが誤って文字入力装置２００または文字入力部（図示せず）を介して文字入力モード設定領域を選択すると、ユーザはユーザ端末装置１００に設定された現在の文字入力モードを記憶できないかもしれない。よって、制御部１２０は、上述の場合に標識を文字入力カーソル１４１の近くに提供することができる。
【００７９】
なお、制御部１２０は、標識の表示された時点から予め設定された時間が経過すると、標識を除去し、文字入力カーソル１４１のみを文字の表示される位置に提供することができる。好適には、制御部１２０は標識の表示された時点から予め設定された時間の間、文字入力が受信されると、文字入力の受信された時点から予め設定された時間の後に標識を除去し、文字入力カーソル１４１のみを文字の入力される位置に提供することができる。すなわち、標識の表示された時点から特定時間の間標識を表示した状態でユーザの文字入力が受信されるとは、ユーザが現在の文字入力モードを認識しつつ文字入力を行うことを意味してよい。この場合、引き続き標識が提供されると、ユーザの円滑な文字入力を防止し得るため、制御部１２０は標識を除去して文字入力カーソル１４１のみを文字の入力される位置に提供してよい。
【００８０】
一方、上述のように、制御部１２０は標識を文字入力カーソル１４１の近くに提供することができる。それにより、第１実施形態によると、ディスプレイ装置３００は提供された標識を表示することができる。なお、第２実施形態によると、ディスプレイ部１４０は標識を表示することができる。
【００８１】
図４ないし図５を説明するうえで、検出部１１０は別途の構成として説明したが、検出部１１０の上述の機能は制御部１２０が行ってよい。
【００８２】
図９は、本発明の第２実施形態に係るユーザ端末装置の細部構成の一例を示すブロック図である。図９を参照すると、ユーザ端末装置８００は、ディスプレイ部８１０と、検知部８２０と、制御部８３０と、保存部８４０と、通信部８５０と、音声認識部８６０と、モーション認識部８７０と、スピーカ８８０と、外部入力ポート８９０−１〜８９０−ｎ及び電源部８９５の全部または一部を含む。ただ、図９を説明するうえで、既に説明された構成に対する具体的な説明は省略する。
【００８３】
検知部８２０は、ユーザ端末装置８００の動作に必要な多様な状態を検知する。検知部８２０は、タッチセンサ８２１と、地磁気センサ８２２と、加速度センサ８２３と、ベンドセンサ８２４と、圧力センサ８２５と、近接センサ８２６と、グリップセンサ８２７等のような多様なセンサの全部または一部を含んでよい。
【００８４】
タッチセンサ８２１は、静電式または感圧式で実現されてよい。静電式は、ディスプレイ部８１０の表面にコーティングされた誘電体を用いて、ユーザの身体の一部がディスプレイ部８１０の表面にタッチされた際、ユーザの人体に励起される微細電気を検知し、タッチ座標を算出する方式である。感圧式は、２つの電極板を含み、ユーザが画面をタッチした場合、タッチされた地点の上下板が接触され、電流が流れることを検知し、タッチ座標を判断する方式である。以上のように、タッチセンサ８２１は多様な形態で実現されてよい。
【００８５】
地磁気センサ８２２は、ユーザ端末装置８００の回転状態及び移動方向等を検知するためのセンサであり、加速度センサ８２３は、ユーザ端末装置８００の勾配具合を検知するためのセンサである。上述のように、地磁気センサ８２２及び加速度センサ８２３はそれぞれ、ユーザ端末装置８００のベンディング方向やベンディング領域等のようなベンディング特性を検出するための用途に使用されてよいが、それとは別途に、ユーザ端末装置８００の回転状態または勾配状態等を検出するための用途に使用されてよい。
【００８６】
ベンドセンサ８２４は、ユーザ端末装置８００がフレキシブルディスプレイ装置で実現される場合に必要なセンサであって、ユーザ端末装置８００のベンディング状態を検知することができる。
【００８７】
圧力センサ８２５は、ユーザがタッチまたはベンディング操作を行う際、ユーザ端末装置８００に加わる圧力の大きさを検知し、制御部８３０に提供する。圧力センサ８２５は、ディスプレイ部８１０に内蔵され、圧力の大きさに対応する電気信号を出力する圧電フィルム（ｐｉｅｚｏ  ｆｉｌｍ）を含んでよい。図９では、圧力センサ８２５がタッチセンサ８２１と別個であるとして示しているが、タッチセンサ８２１が感圧式タッチセンサで実現された場合、その感圧式タッチセンサが圧力センサ８２５の役割も同時に具備することもできる。
【００８８】
近接センサ８２６は、ディスプレイ表面に直に接触せずに接近するモージョンを検知するためのセンサである。近接センサ８２６は、高周波磁界を形成し、物体接近の際に変化する磁界特性によって誘導される電流を検知する高周波発振型、磁石を利用する磁気型、対象体の接近によって変化する静電容量を検知する静電容量型のような多様なセンサで実現されてよい。
【００８９】
グリップセンサ８２７は、圧力センサ８２５と別にユーザ端末装置８００の周縁や取っ手の部分に配置され、ユーザのグリップ（ｇｒｉｐ）を検知するセンサである。グリップセンサ８２７は、圧力センサやタッチセンサで実現されてよい。
【００９０】
制御部８３０は、検知部８２０で検知された各種検知信号を分析し、ユーザの意図を把握し、その意図に合う動作を行う。制御部８３０で行われる動作の一例としては、外部機器との通信を通じて獲得したデータ、または、保存部８４０に保存されたデータを処理してディスプレイ部８１０及びスピーカ８８０等を介して出力する動作を行ってよい。この場合、制御部８３０は、通信部８５０を用いて外部機器と通信を行うことができる。
【００９１】
通信部８５０は、多様な通信方式によって多様な外部機器と通信を行う構成である。通信部８５０は、放送受信モジュール８５１と、近距離無線通信モジュール８５２と、ＧＰＳモジュール８５３及び無線通信モジュール８５４等のような多様な通信モジュールの全部または一部を含んでよい。ここで、放送受信モジュール８５１とは、地上波放送信号を受信するためのアンテナや復調器、等化器等を含む地上波放送受信モジュール（図示せず）、ＤＭＢ放送信号を受信して処理するためのＤＭＢモジュール等を含んでよい。近距離無線通信モジュール８５２とは、ＮＦＣ（Ｎｅａｒ  Ｆｉｅｌｄ  Ｃｏｍｍｕｎｉｃａｔｉｏｎ）やブルートゥース、Ｚｉｇｂｅｅ（登録商標）方式等のような近距離無線通信方式によって、近距離に位置した外部機器と通信を行うためのモジュールである。ＧＰＳモジュール８５３とは、ＧＰＳ衛星からＧＰＳ信号を受信し、ユーザ端末装置８００の現在位置を検出するためのモジュールである。無線通信モジュール８５４とは、ＷｉＦｉやＩＥＥＥ等のような無線通信プロトコルによって外部ネットワークに接続されて通信を行うモジュールである。その他に、通信モジュール８５２は、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）等のような多様な移動通信規格によって移動通信網に接続して通信を行う移動通信モジュールを更に含んでよい。
【００９２】
制御部８３０は、上述の通信部８５０の各構成要素のうち、ユーザの意図した動作実行に必要な構成要素を選択的に活性化させ、動作を行うことができる。
【００９３】
一方、制御部８３０は、ベンディング操作やタッチ操作以外に音声入力やモーション入力を認識し、その入力に対応する動作を行うこともできる。この場合、音声認識部８６０またはモーション認識部８７０を活性化させることができる。
【００９４】
音声認識部８６０は、マイク（図示せず）のような音声取得手段を用いてユーザの音声や外部音響を収集した後、制御部８３０に伝達する。制御部８３０は、音声制御モードで動作する場合、ユーザの音声が予め設定された音声コマンドと一致すると、ユーザの音声に対応するタスク（ｔａｓｋ）を行うことができる。音声を用いて制御可能なタスクとしては、音量調節、チャネル選択、チャネルザッピング、表示属性調節、再生、一時停止、巻き戻し、早送り、アプリケーション実行、メニュー選択、装置ターンオン、ターンオフ等のように、多様なタスクがあってよい。
【００９５】
一方、モーション認識部８７０は、カメラのようなイメージ撮像手段（図示せず）を用いてユーザのイメージを獲得した後、制御部８３０に提供する。モーション制御モードで動作する場合、制御部８３０は、ユーザのイメージを分析してユーザが予め設定されたモーションコマンドに対応するモーションジェスチャを取ったと判断されると、そのモーションジェスチャに対応する動作を行う。一例として、チャネルザッピング、装置ターンオン、ターンオフ、一時停止、再生、停止、巻き戻し、早送り、消音等のような多様なタスクがモーションによって制御されてよい。音声で制御可能なタスク、モーションで制御可能なタスク等に対する上述の例は一例に過ぎず、それに限定されない。
【００９６】
その他に、外部入力ポート１、２〜ｎ（８９０−１〜８９０−ｎ）は、それぞれ多様な外部機器と接続されて各種データやプログラム、制御命令等を受信することができる。具体的には、ＵＳＢポートや、ヘッドセットポート、マウスポート、ＬＡＮポート等を含んでよい。
【００９７】
電源部８９５は、ユーザ端末装置８００の各構成要素に電源を供給する構成要素である。
【００９８】
一方、図９において、通信部８５０、外部入力ポート８９０−１〜８９０−ｎは、上述のインターフェース部１３０の機能を担うことができる。
【００９９】
図１０は、本発明の多様な実施形態に係る制御部の細部構成の一例を示すブロック図である。
【０１００】
図１０によると、制御部１２０は、システムメモリ１２１と、メインＣＰＵ１２２と、イメージ処理部１２３と、ネットワークインターフェース１２４と、保存部インターフェース１２５と、第１ないしｎインターフェース１２６−１〜１２６−ｎと、オーディオ処理部１２７及びシステムバス１２８を含む。
【０１０１】
システムメモリ１２１と、メインＣＰＵ１２２と、イメージ処理部１２３と、ネットワークインターフェース１２４と、保存部インターフェース１２５と、第１ないしｎインターフェース１２６−１〜１２６−ｎ及びオーディオ処理部１２７は、システムバス１２８を介して互いに接続され、各種データや信号等を送受信することができる。
【０１０２】
第１ないしｎインターフェース１２６−１〜１２６−ｎのうちの少なくとも１つは、検知部８２０のようなユーザ端末装置１００内の多様な構成要素と制御部１２０内の各構成要素間のインターフェーシングをサポートする。なお、第１ないしｎインターフェース１２６−１〜１２６−ｎのうちの少なくとも１つは、ユーザ端末装置１００の外部入力ポート８９０−１〜８９０−ｎを介して接続された外部装置から各種信号を受信することができる。ここで、第１ないしｎインターフェース１２６−１〜１２６−ｎは、インターフェース部１３０の機能を行うことができる。
【０１０３】
システムメモリ１２１は、ＲＯＭ１２１−１及びＲＡＭ１２１−２を含む。ＲＯＭ１２１−１には、システムブートのための命令語セット等が保存される。ターンオン命令が入力されて電源が供給されると、メインＣＰＵ１２２は、ＲＯＭ１２１−１に保存された命令語に従って保存部（図示せず）に保存されたＯ／ＳをＲＡＭ１２１−２にコピーし、Ｏ／Ｓを実行させてシステムをブートさせる。ブートが完了すると、メインＣＰＵ１２２は、保存部に保存された各種応用プログラムをＲＡＭ１２１−２にコピーし、ＲＡＭ１２１−２にコピーされた応用プログラムを実行させて各種動作を行う。それにより、ワードプログラムのような文字作成プログラムが行われてよい。
【０１０４】
一方、ＲＡＭは、ユーザ端末装置１００に設定された文字入力モードを保存することができる。それにより、検出部１１０は、ユーザ端末装置１００に設定された文字入力モードを検出することができる。
【０１０５】
以上のように、メインＣＰＵ１２２は、保存部に保存されたアプリケーションプログラムの実行に応じて多様な動作を行うことができる。
【０１０６】
保存部インターフェース１２５は、保存部と接続されて、各種プログラムやコンテンツ、データ等を送受信する。
【０１０７】
イメージ処理部１２３は、デコーダやレンダラ、スケーラ等を含んでよい。それにより、保存されたコンテンツをデコードし、デコードされたコンテンツデータをレンダリングしてフレームを構成し、構成されたフレームのサイズをディスプレイ部１４０またはディスプレイ装置３００の画面の大きさに合わせてスケーリングする。イメージ処理部１２３は、処理されたフレームをディスプレイ部１４０またはディスプレイ装置３００に提供する。それにより、ディスプレイ部１４０またはディスプレイ装置３００は、文字入力カーソル、標識及びユーザから入力された文字を含む文字入力画面を表示することができる。
【０１０８】
その他に、オーディオ処理部１２７は、オーディオデータを処理し、スピーカのような音響出力手段で提供する構成要素を意味する。
【０１０９】
ネットワークインターフェース１２４は、ネットワークを通じて外部装置と接続される部分である。例えば、メインＣＰＵ１２２は、ウェブブラウザプログラムが実行されると、ネットワークインターフェース１２４を介してウェブサーバにアクセスする。ウェブサーバからウェブページデータが受信されると、メインＣＰＵ１２２は、イメージ処理部１２３を制御してウェブページ画面を構成し、構成されたウェブページ画面をディスプレイ部１４０またはディスプレイ装置３００にディスプレイする。
【０１１０】
図１１は、本発明の一実施形態に係る文字入力方法を示すフローチャートである。図１１を参照すると、まず、ユーザ端末装置に設定された文字入力モードを検出する（Ｓ１１０１）。
【０１１１】
ここで、文字入力モードは、文字入力が行われる場合、文字入力画面に表示される文字に適用されるモードであってよい。
【０１１２】
なお、文字入力モードは、ユーザ端末装置と有線または無線で接続された文字入力装置で特定領域が選択されることで、ユーザ端末装置に設定されてよい。
【０１１３】
そして、検出された文字入力モードに対応する標識を文字入力カーソルの近くに表示する（Ｓ１１０２）。
【０１１４】
ここで、標識は、文字入力が行われる場合、文字入力画面に表示される文字の言語情報を含んでよい。なお、標識は、ｉｎｓｅｒｔ  ｏｎ／ｏｆｆ情報、ｎｕｍｌｏｃｋ  ｏｎ／ｏｆｆ情報のうち少なくとも１つを更に含んでよい。
【０１１５】
一方、表示するステップ（Ｓ１１０２）は、予め設定された時間間隔の間、ユーザ端末装置に対する文字入力が受信されていないか、または、文字入力モードが変更された際、標識を文字入力カーソルの近くに表示することができる。
【０１１６】
なお、表示するステップ（Ｓ１１０２）は、文字入力画面の表示状態に応じて、標識の位置を文字入力カーソルの近くで変化させて表示することができる。
【０１１７】
一方、本発明の一実施形態に係る文字入力方法は、標識の表示された時点から予め設定された時間が経過すると、標識を除去し、文字入力カーソルのみを文字の入力される位置に表示するステップを更に含んでよい。
【０１１８】
なお、本発明の一実施形態に係る文字入力方法は、ユーザ端末装置に対する文字入力を受信するステップを更に含んでよい。
【０１１９】
一方、表示するステップ（Ｓ１１０２）は多様な方式で、表示機を文字入力カーソルの近くに表示することができる。例えば、標識を文字入力カーソルの近くに位置させて結合カーソルを生成し、文字の入力される位置に生成された結合カーソルを提供することで、標識を文字入力カーソルの近くに表示することができる。
【０１２０】
または、別途の結合カーソルの生成なしに、文字入力カーソルの近くに生成された標識を位置するようにすることで、標識を文字入力カーソルの近くに表示することができる。
【０１２１】
すなわち、標識を文字入力カーソルの近くに表示することは、制御部１２０内のイメージ処理部１２３の実現方式によって異なってよい。
【０１２２】
一方、上述の本発明の多様な実施形態に係るユーザ端末装置の文字入力方法は、プログラムコードで実現され、多様な非一時的な読み取り可能な媒体（Ｎｏｎ−ｔｒａｎｓｉｔｏｒｙ  ｃｏｍｐｕｔｅｒ  ｒｅａｄａｂｌｅ  ｍｅｄｉｕｍ）に保存された状態で各サーバまたは機器に提供されてよい。
【０１２３】
非一時的な読み取り可能な媒体とは、レジスタやキャッシュ、メモリ等のような短い間データを保存する媒体ではなく、半永久的にデータを保存し、機器によって読み取り（ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１２４】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１２５】
１００  ユーザ端末装置
１１０  検出部
１２０  制御部
１２１  システムメモリ
１２３  イメージ処理部
１２４  ネットワークインターフェース
１２５  保存部インターフェース
１２６  インターフェース
１２７  オーディオ処理部
１２８  システムバス
１３０  インターフェース部
１４０  ディスプレイ部
１４１  文字入力カーソル
１４２  標識
１４３  標識
１４４ 標識
0006293761.tif 000012
0006293761.tif 000013
0006293761.tif 000014
0006293761.tif 000015
0006293761.tif 000016
0006293761.tif 000017
0006293761.tif 000018
0006293761.tif 000019
0006293761.tif 000020
【図４】
0006293761.tif 000021
【図５】
0006293761.tif 000022
【図９】
0006293761.tif 000023
【図１０】
0006293761.tif 000024
【図１１】
0006293761.tif 000025